(57)【要約】　　　（修正有）【課題】自動車用鉛蓄電池の寿命を著しく延長することができる充電法を提供する。【解決手段】内燃機関を主動力源とし、補機用主電源として鉛蓄電池３を有する自動車において、出力電圧が前記鉛蓄電池の定格電圧の１．２倍以上、好ましくは１．５倍以上の補助電源４を備え、前記内燃機関の運転中に内燃機関により駆動される発電機１により主鉛蓄電池３および補助電源４を充電し、内燃機関の停止中に前記補助電源４により前記主鉛蓄電池３を補充電する。【選択図】　図１
2004119363.tif 000002
【特許請求の範囲】
【請求項１】
内燃機関を主動力源とし、補機用主電源として鉛蓄電池を有する自動車において、出力電圧が前記鉛蓄電池の定格電圧の１．２倍以上、好ましくは１．５倍以上の補助電源を備え、前記内燃機関の運転中に前記内燃機関により駆動される発電機により前記鉛蓄電池および前記補助電源を充電し、前記内燃機関の停止中に前記補助電源により前記鉛蓄電池を補充電することを特徴とする充電法。
【請求項２】
請求項１において、補助電源が、主電源の鉛蓄電池の定格電圧と同じかまたはこれより低い定格電圧の補助蓄電池と、その出力を昇圧して主電源の鉛蓄電池に供給する手段とよりなる充電法。
【請求項３】
請求項１において、補助電源が、主電源の鉛蓄電池の定格電圧より高い定格電圧の補助蓄電池と、内燃機関により駆動される発電機の出力を昇圧して前記補助蓄電池に供給する手段とよりなる充電法。
【発明の詳細な説明】
【０００１】
【産業上の利用分野】本発明は、自動車用鉛蓄電池の寿命を著しく延長することができる充電法に関する。
【０００２】
【従来の技術】従来、トラック等の大型の自動車の補機用電源として、主として定格２４ボルトの鉛蓄電池が用いられてきた。
【０００３】
【考案が解決しようとする課題】しかしながら、その充電電圧は、過充電による電極の劣化を防止する目的で、セル１個当り最高２．４ボルト、即ち定格２４ボルトの電池に対しては最高３８．８ボルト程度に制限されており、このために頻繁に充放電が繰り返される運転条件では、電池が充電不足の状態となり、充放電サイクル寿命が短くなる欠点があった。特に、電池の充放電サイクル寿命を延長する効果のあるポリビニルアルコール等の添加剤を用いた場合、充電不足の傾向が大きく、添加剤の本来の効果を充分に発揮できない場合があった。
【０００４】
【課題を解決するための手段】本発明は、上記課題を解決するためになされたものであり、内燃機関を主動力源とし、補機用主電源として鉛蓄電池を有する自動車において、出力電圧が前記鉛蓄電池の定格電圧の１．２倍以上、好ましくは１．５倍以上の補助電源を備え、前記内燃機関の運転中に前記内燃機関により駆動される発電機により前記補助電源を充電し、前記内燃機関の停止中に前記補助電源により前記鉛蓄電池を補充電する充電法であり、更に、前記補助電源が、主電源の鉛蓄電池の定格電圧と同じかまたはこれより低い定格電圧の補助蓄電池と、その出力を昇圧して主電源の鉛蓄電池に供給する手段とよりなる充電法、および、前記補助電源が、主電源の鉛蓄電池の定格電圧より高い定格電圧の補助蓄電池と、内燃機関により駆動される発電機の出力を昇圧して前記補助蓄電池に供給する手段とよりなる充電法を提供するものである。
【０００５】
【作用】本発明で内燃機関の停止中に補助蓄電池により主電源の鉛蓄電池を補充電する理由は、次のとおりである。鉛蓄電池の放電に伴い生成する硫酸鉛は、自動車の運転中における大電流の充放電では、電極の深部ではそのまま残存して次第に結晶成長して電極の劣化につながる。この電極の深部に残存する硫酸鉛を金属鉛や、過酸化鉛にするためには、水の電気分解が起きない範囲の電圧で長時間かけて、小さい電流で補充電を行なうのが良い。自動車の内燃機関の停止中は充分な時間がとれ、且つ、発電機や補機との電流も生じないので、理想的な条件で補充電を行なうことができる。
【０００６】本発明で用いる補助蓄電池は、主電源である鉛蓄電池の充電不足によって僅かに残存する硫酸鉛の結晶成長を防止するための補充電に使用するもので、これに要する電気量は主電源全体の電気容量に比べれば僅かである。したがって、補助蓄電池の容量は主電源の容量の十分の一ないし五十分の一程度の小型のもので充分である。補助蓄電池としては、鉛蓄電池の他にニッケル−水素電池、ニッケル−カドミウム電池等を用いることができる。また、補充電は必ずしも内燃機関の停止中に常時行なう必要は無く、主電源の鉛蓄電池や補助蓄電池の端子電圧が所定の値に達した後、補充電を停止しても良い。
【０００７】本発明で補助蓄電池の出力を昇圧する手段としては、例えばスイッチング回路を用いたＤＣ−ＤＣコンバーターを好適に用いることができ、あるいは、複数個の補助蓄電池を並列から直列に切りかえることもできる。
【０００８】また、補助蓄電池の定格電圧が主電源の鉛蓄電池の定格電圧より高い場合は、発電機の出力電圧を適当な昇圧手段を用いて昇圧した後、補助蓄電池へ供給すれば良い。発電機の出力は交流である場合が多いので、その昇圧手段としては、公知の方法、例えば倍圧整流、トランスによる昇圧、あるいは一旦直流に変換した後、ＤＣ−ＤＣコンバーターを用いる等の方法を用いることができる。
【０００９】本発明において、主電源の鉛蓄電池を補助蓄電池で補充電する場合、電流制限要素を用いて補充電の電流を所定値以下に制限することが望ましく、その電流制限要素としては、トランジスタ、抵抗器等のほか、サイリスタやＧＴＯトランジスタとインダクタを直列に接続し、パルス幅によって電気量を制御する方法も使用できる。
【００１０】また、補充電の際、主電源の鉛蓄電池の端子電圧が所定値に達した場合に補充電の電流を小さくするか、切断するかして、過充電を防止するのが望ましい。
【００１１】
【実施の形態】以下に、本発明の実施の形態を図１ないし図６に基づいて詳述する。
【実施例１】図１は本発明の一実施例を示し、内燃機関の出力で駆動されるオルタネーター１により発電された交流は整流回路２で脈流に変換され、主電源の鉛蓄電池３が充電される。これとは別に、オルタネーター１により発電された交流を補助電源４に供給して、これに内臓された補助蓄電池を充電し、その補助蓄電池の出力を好ましくは電流制限要素５を介して主電源の鉛蓄電池３に供給し、これを補充電する。補充電は一般には内燃機関の停止中に行なうが、その電流が内燃機関の運転中に整流回路２により行なわれる充電電流に比べて小さいので、回路を簡単にするために内燃機関の運転中も常時行なっても差し支えない。
【００１２】図２は図１の回路の補助電源４の一具体例を示す。オルタネーター１により発電された交流をトランス６で昇圧し、これをダイオード７で整流して補助蓄電池８を充電する。この場合、補助蓄電池８の出力電圧は主電源の鉛蓄電池３の定格電圧の１．２倍以上であることが好ましく、１．５倍以上であることがより好ましい。
【００１３】図３は図１の回路の補助電源４の他の一具体例を示す。オルタネーター１により発電された交流をコンデンサ１１とダイオード９、１０よりなる倍圧整流回路に供給し、補助蓄電池８を充電する。この場合、補助蓄電池８の出力電圧は主電源の鉛蓄電池３の定格電圧の１．２倍以上であることが好ましく、１．５倍以上であることがより好ましい。
【００１４】
【実施例２】図４は本発明の他の一実施例を示し、内燃機関の出力で駆動されるオルタネーター１により発電された交流は整流回路２で脈流に変換され、主電源の鉛蓄電池３が充電される。これとは別に、オルタネーター１により発電された交流をダイオード１３で整流して補助電源１２に供給して、これに内臓された補助蓄電池を充電し、その補助蓄電池の出力を好ましくは電流制限要素５を介して主電源の鉛蓄電池３に供給し、これを補充電する。なお、補助電源１２に供給する直流は整流回路２で整流されたものを用い、ダイオード１３を省略することもできる。
【００１５】図５は図４の回路の補助電源１２の一具体例を示す。オルタネーター１により発電された交流をダイオード１３で整流して主電源の鉛蓄電池３と同じ定格電圧の２組の補助蓄電池１４をスイッチ１５で並列に接続して充電する。内燃機関の停止中にスイッチ１５を切り替えて２組の補助蓄電池１４を直列に接続し、主電源の鉛蓄電池３の２倍の出力電圧を得る。
【００１６】図６は図４の回路の補助電源１２の他の一具体例を示す。オルタネーター１により発電された交流をダイオード１３で整流して補助蓄電池１４を充電する。この出力でＤＣ−ＤＣコンバーター１６を作動させ、昇圧して主電源の鉛蓄電池３の定格電圧の好ましくは１．２倍以上、より好ましくは１．５倍以上の直流電圧を得る。
【００１７】
【発明の効果】以上の説明より明らかなように、本発明は、充電不足を生じやすい内燃機関を用いた自動車用の鉛蓄電池について、その補充電を自動車の休止中に自動的に行なうことができ、該鉛蓄電池の寿命を大幅に延長できる方法を提供するものである。
【図面の簡単な説明】
【図１】回路図
【図２】補助電源の回路図
【図３】補助電源の回路図
【図４】回路図
【図５】補助電源の回路図
【図６】補助電源の回路図
【符号の説明】
１：オルタネーター
２：整流回路
３：主電源の鉛蓄電池
４、１２：補助電源
５：電流制限要素
６：トランス
７、９、１０、１３：ダイオード
８、１４：補助蓄電池
１１：コンデンサ
１５：スイッチ
１６：ＤＣ−ＤＣコンバーター
【図１】
2004119363.tif 000003
【図２】
2004119363.tif 000004
【図３】
2004119363.tif 000005
【図４】
2004119363.tif 000006
【図５】
2004119363.tif 000007
【図６】
2004119363.tif 000008